(57)【要約】【課題】簡単にＲＧＢデータとＣＭＹＫデータとの差異を確認することのできる検査システムを提供する。【解決手段】検査システム１において、入稿されるＤＴＰデータを確認した時のＲＧＢ画像データと、ＤＴＰデータをＲＩＰ処理して得たＣＭＹＫ画像データとを、それぞれＬａｂ変換する。それぞれＬａｂ変換して得られる画素の差分ΔＥが設定値を超える時、該当する画素を表示装置に表示する。表示される領域が、ＲＧＢデータとＣＭＹＫデータとの差異であることが確認できる。【選択図】　図１
2004128538.tif 000002
【特許請求の範囲】
【請求項１】
ＲＧＢデータとＣＭＹＫデータとの差異の確認を行う検査システムであって、
ＲＧＢデータを、ＣＭＹＫデータに変換する手段と、
前記ＲＧＢデータ、及び前記ＣＭＹＫデータをそれぞれＬａｂ変換するＬａｂ変換手段と、
前記Ｌａｂ変換されたデータの差分を算出し、前記差分のうち設定値を超える差分に該当する領域を表示させる表示手段と、
を、具備することを特徴とする検査システム。
【請求項２】
前記Ｌａｂ変換手段は、前記ＲＧＢデータ、及び前記ＣＭＹＫデータを、それぞれのＬａｂ対応テーブルを用いてデータ変換することを特徴とする請求項１記載の検査システム。
【請求項３】
前記Ｌａｂ対応テーブルは、
ＣＭＹＫチャート画像をＬａｂ変換し補間処理して作成される、ＣＭＹＫ画像用Ｌａｂ対応テーブルと、
前記ＣＭＹＫチャート画像を画面表示して取得したＲＧＢ画像を、Ｌａｂ変換し補間処理して作成される、ＲＧＢ画像用Ｌａｂ対応テーブルであることを特徴とする請求項２記載の検査システム。
【請求項４】
ＲＧＢデータとＣＭＹＫデータとの差異の確認を行う検査システムであって、ＣＭＹＫチャート画像を取得し、画面表示してＲＧＢ画像を取得する手段と、
前記ＣＭＹＫ画像をＬａｂ変換し、Ｌａｂ対応テーブルを作成する手段と、
前記ＲＧＢ画像をＬａｂ変換し、Ｌａｂ対応テーブルを作成する手段と、
を、具備することを特徴とする検査システム。
【請求項５】
ＲＧＢデータとＣＭＹＫデータとの差異の確認を行う検査システムにおいて、
ＲＧＢデータを、ＣＭＹＫデータに変換する工程と、
前記ＲＧＢデータ、及び前記ＣＭＹＫデータをそれぞれＬａｂ変換するＬａｂ変換工程と、
前記Ｌａｂ変換されたデータの差分を算出し、前記差分のうち設定値を超える差分に該当する領域を表示させる表示工程と、
を、具備することを特徴とする検査方法。
【請求項６】
前記Ｌａｂ変換工程は、前記ＲＧＢデータ、及び前記ＣＭＹＫデータを、それぞれのＬａｂ対応テーブルを用いてデータ変換することを特徴とする請求項５記載の検査方法。
【請求項７】
前記Ｌａｂ対応テーブルは、
ＣＭＹＫチャート画像をＬａｂ変換し補間処理して作成される、ＣＭＹＫ画像用Ｌａｂ対応テーブルと、
前記ＣＭＹＫチャート画像を画面表示して取得したＲＧＢ画像を、Ｌａｂ変換し補間処理して作成される、ＲＧＢ画像用Ｌａｂ対応テーブルであることを特徴とする請求項６記載の検査方法。
【請求項８】
ＲＧＢデータとＣＭＹＫデータとの差異の確認を行う検査システムにおいて、
ＣＭＹＫチャート画像を取得し、画面表示してＲＧＢ画像を取得する工程と、
前記ＣＭＹＫ画像をＬａｂ変換し、Ｌａｂ対応テーブルを作成する工程と、
前記ＲＧＢ画像をＬａｂ変換し、Ｌａｂ対応テーブルを作成する工程と、
を、具備することを特徴とする検査方法。
【請求項９】
請求項１又は請求項４記載の検査システムを実現するためのプログラム。
【請求項１０】
請求項１又は請求項４記載の検査システムを実現するためのプログラムを記録した記録媒体。
【発明の詳細な説明】
【０００１】
【発明の属する技術分野】
本発明は、ＤＴＰデータのモニタ表示用のＲＧＢデータと、印刷用のＣＭＹＫデータとの差異を確認する検査システムに関する。
【０００２】
【従来の技術】
ＤＴＰデータの製版処理・文字組版等は、ＤＴＰデータをモニタ表示したイメージと、ＤＴＰデータを印刷用に変換した出力結果とが一致しないことがある。従来は、印刷出力物と、モニタ表示とを、作業者が目で見て差異の確認を行っていた。
【０００３】
また、例えば印刷用のＣＭＹＫデータをＴＩＦＦ等のデータに変換して比較することが行われていた。
【０００４】
【発明が解決しようとする課題】
しかしながら、印刷出力物と、モニタ表示とを、目で見て差異の確認を行う作業は、作業者にとって負荷であり、効率が悪いと共に、差異を確認しきれないことがあった。また、差異の確認を正確に行うためには、同一のデータ変換用専用装置を、ＤＴＰの制作側と、印刷用データ変換部署に設置する必要がありコストがかかる上に効率が悪かった。
【０００５】
本発明は、このような問題に鑑みてなされたもので、その目的とするところは、簡単にＲＧＢデータとＣＭＹＫデータとの差異を確認することのできる検査システムを提供することにある。
【０００６】
【課題を解決するための手段】
前述した目的を達成するために第１の発明は、ＲＧＢデータとＣＭＹＫデータとの差異の確認を行う検査システムであって、ＲＧＢデータを、ＣＭＹＫデータに変換する手段と、前記ＲＧＢデータ、及び前記ＣＭＹＫデータをそれぞれＬａｂ変換するＬａｂ変換手段と、前記Ｌａｂ変換されたデータの差分を算出し、前記差分のうち設定値を超える差分に該当する領域を表示させる表示手段とを、具備することを特徴とする検査システムである。
【０００７】
ＲＧＢデータとは、Ｒ（Ｒｅｄ赤）、Ｇ（Ｇｒｅｅｎ緑）、Ｂ（Ｂｌｕｅ青）の光の３原色を加法混色して色調を表現するデータでありモニタ、スキャナ、カラーテレビ等に使用されている。
ＣＭＹＫデータとは、Ｃ（Ｃｙａｎ青）、Ｍ（Ｍａｇｅｎｔａ赤）、Ｙ（Ｙｅｌｌｏｗ黄）、Ｂ（Ｂｌａｃｋ黒）の原色を減法混色して色調を表現するデータであり、カラー印刷等に使用されている。
Ｌａｂ変換は、ＲＧＢデータ、及びＣＭＹＫデータを、それぞれのＬａｂ対応テーブルを用いてＬａｂ色空間上でのデータに変換することであり、色調を比較することができる。Ｌａｂ色空間とは、１９７６年に国際照明委員会ＣＩＥ（Ｃｏｍｍｉｓｓｉｏｎ　Ｉｎｔｅｒｎａｔｉｏｎａｌｅ　ｄｅ　Ｉ‘Ｅｃｌａｉｒａｇｅ）より提案され、Ｌは明度（明るさ）、ａは赤から緑への色座標、ｂは青から黄への色座標を表している。Ｌａｂ色空間は、色域が広く、システム間での色調のずれが少ない。
またＬａｂ対応テーブルとは、ＣＭＹＫチャート画像をＬａｂ変換し補間処理して作成されるＣＭＹＫ画像用Ｌａｂ対応テーブルと、ＣＭＹＫチャート画像を画面表示して取得したＲＧＢ画像を、Ｌａｂ変換し補間処理して作成されるＲＧＢ画像用Ｌａｂ対応テーブルである。
ＣＭＹＫチャート画像は、例えばＩＳＯ規格で決められたＣＭＹＫデータの標準チャート（９２８色）である。この各色のデータをＬａｂ変換し、モニタや出力装置に合わせてデータの補間処理を行い、ＣＭＹＫ画像用Ｌａｂ対応テーブルを作成する。
また、ＣＭＹＫチャート画像を画面表示してＲＧＢ画像データを取得し、この各色のデータをＬａｂ変換し、モニタや出力装置に合わせてデータの補間処理を行い、ＲＧＢ画像用Ｌａｂ対応テーブルを作成する。
また、ＲＧＢデータを、ＲＩＰ処理してＣＭＹＫデータに変換する。ＲＩＰ（Ｒａｓｔｅｒ　Ｉｍａｇｅ　Ｐｒｏｃｅｓｓｏｒ）処理とは、数式で記述されたベクトルデータをビットマップ（ラスタイメージ）にラスタライズ（展開）する処理である。イメージセッタや印刷装置等の出力装置に出力する時のデータ処理である。
第１の発明の検査システムは、ＲＧＢデータをＣＭＹＫデータに変換し、ＲＧＢデータ、及びＣＭＹＫデータをそれぞれＬａｂ変換してそれらの差分のうち設定値を超える差分に該当する領域を表示する。
【０００８】
第２の発明は、ＲＧＢデータとＣＭＹＫデータとの差異の確認を行う検査システムであって、ＣＭＹＫチャート画像を取得し、画面表示してＲＧＢ画像を取得する手段と、前記ＣＭＹＫ画像をＬａｂ変換し、Ｌａｂ対応テーブルを作成する手段と、前記ＲＧＢ画像をＬａｂ変換し、Ｌａｂ対応テーブルを作成する手段とを、具備することを特徴とする検査システムである。
【０００９】
第２の発明の検査システムは、ＣＭＹＫチャート画像を取得し、画面表示してＲＧＢ画像を取得し、該ＣＭＹＫ画像及びＲＧＢ画像をそれぞれＬａｂ変換し、それぞれのＬａｂ対応テーブルを作成する。
【００１０】
第３の発明は、ＲＧＢデータとＣＭＹＫデータとの差異の確認を行う検査システムにおいて、ＲＧＢデータを、ＣＭＹＫデータに変換する工程と、前記ＲＧＢデータ、及び前記ＣＭＹＫデータをそれぞれＬａｂ変換するＬａｂ変換工程と、前記Ｌａｂ変換されたデータの差分を算出し、前記差分のうち設定値を超える差分に該当する領域を表示させる表示工程とを、具備することを特徴とする検査方法である。
【００１１】
第３の発明の検査方法は、第１の発明の検査システムの方法である。
【００１２】
第４の発明は、ＲＧＢデータとＣＭＹＫデータとの差異の確認を行う検査システムにおいて、ＣＭＹＫチャート画像を取得し、画面表示してＲＧＢ画像を取得する工程と、前記ＣＭＹＫ画像をＬａｂ変換し、Ｌａｂ対応テーブルを作成する工程と、前記ＲＧＢ画像をＬａｂ変換し、Ｌａｂ対応テーブルを作成する工程とを、具備することを特徴とする検査方法である。
【００１３】
第４の発明の検査方法は、第２の発明の検査システムの方法である。
【００１４】
第５の発明は、請求項１又は請求項４記載の検査システムを実現するためのプログラムである。
【００１５】
第５の発明のプログラムは、請求項１又は請求項４記載の検査システムを機能させるものであり、このプログラムをネットワークを介して流通させることもできる。
【００１６】
第６の発明は、請求項１又は請求項４記載の検査システムを実現するためのプログラムを記録した記録媒体である。
【００１７】
第６の発明の記録媒体は、請求項１又は請求項４記載の検査システムを機能させるプログラムを記憶しており、この記録媒体を流通させることもでき、またこのプログラムをネットワークを介して流通させることもできる。
【００１８】
【発明の実施の形態】
以下、図面に基づいて本発明の実施の形態を詳細に説明する。図１は、本発明の実施の形態に係る検査システム１の構成を示す図である。検査システム１は、演算装置３、記憶装置５、及び表示装置７とで構成される。検査システム１には、ＤＴＰ制作側２が作成するＤＴＰデータ２１と、それを画面表示させたＲＧＢ画像データ１７が入稿される。
【００１９】
詳細については後述するが、演算装置３は、取得したＤＴＰデータ２１をＲＩＰ処理２３してＣＭＹＫ画像データ１９に変換する。このＲＩＰ処理２３は、別装置で行いその結果をＣＭＹＫ画像で取得しても良い。また、ＲＧＢデータ及びＣＭＹＫデータに対するそれぞれのＬａｂ変換テーブルａ、ｂを作成する。また、該Ｌａｂ変換テーブルを用いて、取得したＲＧＢ画像データ１７及び変換処理後のＣＭＹＫ画像データ１９をＬａｂ変換する。また、Ｌａｂ変換したＲＧＢ画像データ１７及び変換処理後のＣＭＹＫ画像データ１９の差ΔＥ３３を算出し、設定値（例えばΔＥが１０）を超えるΔＥに該当する領域を、表示装置に表示する。
【００２０】
記憶装置５は、取得したＲＧＢ画像データ１７を記憶する。また、ＤＴＰデータ２１をＲＩＰ処理２３して得られるＣＭＹＫ画像データ１９を記憶する。また、算出される差ΔＥ３３を記憶する。また、作成される、ＲＧＢデータ及びＣＭＹＫデータに対するそれぞれの「Ｌａｂ変換テーブルａ、ｂ」３１を記憶する。
【００２１】
表示装置７は、検査システム１の処理工程において、ＲＧＢ画像１１、ＣＭＹＫ画像１３、及びＬａｂ差分画像１５（ΔＥのうち設定値を超える領域画像）等を表示する。
【００２２】
図２は、図１の表示装置７に表示される画像をそれぞれ詳細に示したものである。例えばＲＧＢ画像１１に示す領域４１と、ＣＭＹＫ画像１３に示す領域４５は、Ｌａｂ差分画像１５上には表示されない。即ち領域４１と領域４５は、Ｌａｂ変換時の差ΔＥ３３が設定値以下であることがわかる。また、ＣＭＹＫ画像１３の領域４７の部分は、ＲＧＢ画像１１の該当する領域と比較すると差ΔＥ３３が設定値を超えるのでＬａｂ差分画像１５上に領域５１として表示される。即ち作業者は、Ｌａｂ差分画像１５に表示される領域を、画面表示と印刷時との差として認識することができる。
【００２３】
次に、図３及び図４を用いて、本実施の形態に係る検査システム１の処理手順を説明する。
【００２４】
図３は、演算装置３が「Ｌａｂ対応テーブルａ、ｂ」３１を作成する手順を示す図である。Ｌａｂ対応テーブルａは、ＣＭＹＫデータをＬａｂ変換する時に使用する変換テーブルであり、使用する表示装置や印刷装置に合わせてデータの補間処理を行ったものである。また、Ｌａｂ対応テーブルｂは、ＲＧＢデータをＬａｂ変換する時に使用する変換テーブルであり、使用する表示装置や印刷装置に合わせてデータの補間処理を行ったものである。
【００２５】
まず、検査システム１は、例えばＩＳＯ規格で決められたＣＭＹＫデータの標準チャート（９２８色）を選定する（ステップ２０１）。
【００２６】
次に、チャートの各色について、Ｌａｂ変換の処理が行われる（ステップ２０２）。更に、出力用モニタやイメージセッタ等の機種やメーカーの違いだけでなく、同じ機種でも電子ビームのバランスの差等が生じる為、補間処理が行われる（ステップ２０３）。即ち、各色とＬａｂ値との対応を示すＬａｂ対応テーブルａが作成される（ステップ２０４）。Ｌａｂ対応テーブルａは、記憶装置５に記憶される。
【００２７】
従って、ＣＭＹＫチャートのある色がＣＭＹＫデータ（ｃ，ｍ，ｙ，ｋ）で表されるとするとＬａｂ値は、要素Ｌ、ａ、ｂがそれぞれ、ｃ，ｍ，ｙ，ｋの関数として下記の式（１）のように表される。
（Ｌ，ａ，ｂ）＝（ｆＬ１（ｃ，ｍ，ｙ，ｋ），ｆａ１（ｃ，ｍ，ｙ，ｋ），ｆｂ１（ｃ，ｍ，ｙ，ｋ））……（１）
【００２８】
一方、選定されたＣＭＹＫデータの標準チャート（９２８色）をモニタに画面表示してＲＧＢ画像を取得する（ステップ２０５）。即ち、ＣＭＹＫチャートの各色がモニタ表示された時のＲＧＢ値を取得する。更に、この各ＲＧＢ値をＬａｂ変換し（ステップ２０６）、モニタ等の固有の補間処理を行い（ステップ２０７）、各ＲＧＢ値とＬａｂ値との対応を示すＬａｂ対応テーブルｂが作成される（ステップ２０８）。Ｌａｂ対応テーブルｂは、記憶装置５に記憶される。
【００２９】
尚、Ｌａｂ対応テーブルｂの作成において、ある色がＲＧＢデータ（ｒ，ｇ，ｂ）で表されるとすると、Ｌａｂ値は、要素Ｌ、ａ、ｂがそれぞれ、ｒ，ｇ，ｂの関数として下記の式（２）のように表される。
（Ｌ，ａ，ｂ）＝（ｆＬ２（ｒ，ｇ，ｂ），ｆａ２（ｒ，ｇ，ｂ），ｆｂ２（ｒ，ｇ，ｂ））……（２）
【００３０】
以上の様に作成された「Ｌａｂ対応テーブルａ、ｂ」３１は、検査システム１の記憶装置５に記憶される。
【００３１】
次に図４は、検査システム１に入稿されたＲＧＢ画像と、ＣＭＹＫ画像との色差検出のフローチャートである。図１、図２と合わせて説明する。
【００３２】
まず図１において、ＤＴＰ制作側２は、モニタ表示９しつつＤＴＰデータ２１作成を行う。さらに、作成されたＤＴＰデータ２１を、モニタ表示したＲＧＢ画像として保存し（図１のステップ１０１）、これを作成されたＤＴＰデータ２１と共に印刷用データ変換部署の検査システム１へ入稿する（図１のステップ１０２）。入稿は、インターネット等のネットワークで行っても良いし、記憶媒体を介して行っても良い。
【００３３】
検査システム１の記憶装置５は、ＤＴＰ制作側２が意図した完成イメージをＲＧＢ画像データ１７として得る（ステップ３０１）。
【００３４】
演算装置３は、入稿されたＤＴＰデータ２１を、イメージセッタや印刷装置等の出力装置に出力する時のデータ処理、即ち数式で記述されたベクトルデータをビットマップ（ラスタイメージ）にラスタライズするＲＩＰ処理２３を行い、ＣＭＹＫ画像データ１９を得る（ステップ３０２）。
【００３５】
ＣＭＹＫ画像データ１９は、記憶装置５に記録される（図１ステップ１０６）。次に、ＣＭＹＫ画像データ１９は、Ｌａｂ対応テーブルａを用いてＬａｂ変換される（ステップ３０４）。
【００３６】
一方、検査システム１に入稿されたＲＧＢ画像データ１７は、Ｌａｂ対応テーブルｂを用いてＬａｂ変換される（ステップ３０６）。
【００３７】
即ち入稿されたＲＧＢ画像データ１７と、ＤＴＰデータ２１がＣＭＹＫ画像データ１９に変換されたデータが、それぞれＬａｂ変換される。次に、Ｌａｂ変換されたそれぞれの画素に対して、色差（ΔＥ）の算出２７を行う（ステップ３０７）。
【００３８】
Ｌａｂ色空間で２つのＬａｂ値（Ｌ１，ａ１，ｂ１）と（Ｌ２，ａ２，ｂ２）の間の色差ΔＥ１２は、式（３）で求められる。
【００３９】
【数１】
2004128538.tif 000003
【００４０】
尚、式（３）において、
ΔＬ＝Ｌ１−Ｌ２
Δａ＝ａ１−ａ２　　　　　　　　　　……（４）
Δｂ＝ｂ１−ｂ２
である。
【００４１】
ΔＥの許容値を１０．０に設定すると、算出されるΔＥが１０．０を超える画素が、Ｌａｂ差分画像１５として表示装置７に表示される（ステップ３０８）。即ち、図２に表示されるＬａｂ差分画像１５の領域５１は、ΔＥが許容値１０．０を越えた領域である。作業者は、表示装置７に表示されるＬａｂ差分画像１５により、ＲＧＢデータとＣＭＹＫデータとの差異を確認することができる。
【００４２】
また、ＲＩＰ処理により、コード番号と書体名等で指示された文字（フォント）データを、ＲＩＰ装置に保存、もしくはＤＴＰデータ内に保存してあるフォントデータにより、文字コードからビットマップデータに置き換える際、保存されているフォントデータの不備等（例えば該当する書体が保存されていない等）が原因で、異なる書体（明朝体、ゴシック体）で再現される等、ＤＴＰ制作側が意図したイメージと異なる文字（図形）になることがある。この違いを本装置でチェックすることができる。
【００４３】
このように、本実施の形態によれば、入稿されるＤＴＰデータの完成イメージをＤＴＰ制作側が確認した時のＲＧＢ表示データと、ＲＩＰ処理後のＣＭＹＫデータとを、それぞれＬａｂ変換して、同じＬａｂ色空間上で比較し、差異が許容値を超える領域を表示装置に表示するので、簡単にＲＧＢデータとＣＭＹＫデータとの差異を確認することができる。
【００４４】
また、従来の出力物とモニタ表示を目視して差異を確認する方法に比べると、作業負荷が少なく、また、差異を正確にチェックできる効果がある。
【００４５】
【発明の効果】
以上、詳細に説明したように本発明によれば、簡単にＲＧＢデータとＣＭＹＫデータとの差異を確認することのできる検査システムを提供することができる。
【図面の簡単な説明】
【図１】本発明の実施の形態に係る検査システム１の構成を示す図
【図２】表示装置７に表示される画像を示す図
【図３】Ｌａｂ対応テーブル作成の手順を示す図
【図４】検査システム１のフローチャート
【符号の説明】
１・・・　検査システム
２・・・　ＤＴＰ制作側
３・・・　演算装置
５・・・　記憶装置
７・・・　表示装置
９・・・　モニタ表示
１１・・・　ＲＧＢ画像
１３・・・　ＣＭＹＫ画像
１５・・・　Ｌａｂ差分画像
１７・・・　ＲＧＢ画像データ
１９・・・　ＣＭＹＫ画像データ
２１・・・　ＤＴＰデータ
２３・・・　ＲＩＰ処理
２５・・・　Ｌａｂ変換ａ、ｂ
２７・・・　ΔＥの算出
２９・・・　Ｌａｂ対応テーブルａ、ｂの作成
３１・・・　Ｌａｂ対応テーブルａ、ｂ
３３・・・　ΔＥ
４１、４３、４５、４７、４９、５１・・・　領域
【図１】
2004128538.tif 000004
【図２】
2004128538.tif 000005
【図３】
2004128538.tif 000006
【図４】
2004128538.tif 000007